(57)【要約】【課題】報告書の納入期間等を短縮できる検体管理システムを提供する。【解決手段】本発明の検体管理システム１は、識別情報を含む容器情報を記録した第一記録部２ａを備えた検体容器２と、記憶した検査項目情報を含む検査情報と第一記録部２ａから読み込みした容器情報とを関連付けて検体情報を作成し、該検体情報を第一記録部２ａに書き込みする情報入力端末３と、情報入力端末３から送信した検体情報を受信し、その検体情報と第一記録部２ａから読み込みした検体情報とを照合する検体管理端末４と、を備えたことを特徴とする。【選択図】図１
2013130398.tif 000002
【特許請求の範囲】
【請求項１】
識別情報を含む容器情報を記録した第一記録部を備えた検体容器と、
入力した検査項目情報を含む検査情報と第一記録部から読み込みした容器情報とを関連付けて検体情報を作成し、該検体情報を第一記録部に書き込みする情報入力端末と、
情報入力端末から送信した検体情報を受信し、その検体情報と第一記録部から読み込みした検体情報とを照合する検体管理端末と、
を備えた検体管理システム。
【請求項２】
識別情報を含む容器情報を記録した第一記録部を備えた検体容器と、
入力した検査項目情報を含む検査情報と第一記録部から読み込みした容器情報とを関連付けて検体情報を作成し、該検体情報を記録した第二記録部を印刷する情報入力端末と、
情報入力端末から送信した検体情報を受信し、その検体情報と第二記録部から読み込みした検体情報とを照合する検体管理端末と、
を備えた検体管理システム。
【請求項３】
第一記録部又は第二記録部から検体情報に含まれる保管温度情報を読み込みでき、該保管温度情報と設定した温度情報とを照合することができる保管棚を備えた請求項１又は２に記載の検体管理システム。
【請求項４】
第一記録部は、ＲＦＩＤタグで形成した請求項１又は３に記載の検体管理システム。
【請求項５】
第一記録部は、二次元コード又はバーコードから形成し、第二記録部は、二次元コード又はバーコードから形成した請求項２又は３に記載の検体管理システム。
【請求項６】
検体容器は、採血管である請求項１〜５のいずれかに記載の検体管理システム。
【請求項７】
識別情報を含む容器情報を検体容器の第一記録部に記録させる工程と、
検査項目情報を含む検査情報を情報入力端末に入力し、第一記録部の容器情報を情報入力端末に読み込みした後、これらを関連付けた検体情報を情報入力端末に記憶する工程と、
検体情報を情報入力端末から第一記録部に書き込みする工程と、
検体情報を情報入力端末から検体管理端末に送信する工程と、
第一記録部の検体情報を検体管理端末に読み込み、その検体情報と情報入力端末から受信した検体情報とを検体管理端末に照合させる工程と、
を備えた検体管理方法。
【請求項８】
識別情報を含む容器情報を検体容器の第一記録部に記録させる工程と、
検査項目情報を含む検査情報を情報入力端末に入力し、第一記録部の容器情報を情報入力端末で読み込みした後、これらを関連付けた検体情報を情報入力端末に記憶する工程と、
検体管理端末で検体情報を記録した第二記録部を印刷し、第二記録部を前記検体容器に備え付ける工程と、
検体情報を情報入力端末から検体管理端末に送信する工程と、
第二記録部の検体情報を検体管理端末に読み込み、その検体情報と情報入力端末から受信した検体情報とを検体管理端末に照合させる工程と、
を備えた検体管理方法。
【発明の詳細な説明】
【技術分野】
【０００１】
本発明は、医療機関等から臨床検査機関等に検体を受託する際に検体容器を管理するのに適した検体管理システムに関する。
【背景技術】
【０００２】
血液、血漿、血清等の検体の検査は、病院・診療所などの医療機関等で行われることもあるが、現在では主に外部の臨床検査機関等に受託し、報告書が医療機関等に納入されている。
この場合、検体は、医療機関等で採取されて検体容器に封入され、臨床検査機関等に搬送される。臨床検査機関等には、毎日、医療機関等から多数の検体が搬入されるため、当然、検体を個別管理しなければならない。
そのため、検体容器にラベルやバーコードを貼り、管理することが行われている。また、近年では、読み書き可能なＩＤを備えた検体容器も発明されている。
【０００３】
例えば、下記特許文献１には、データキャリアを備えたＩＤ容器を用いて、採血者の氏名や採血日時等をコンピュータにより管理することが記載されている。
また、下記特許文献２には、ＲＦＩＤを備えたサンプル容器を用いて、サンプル容器の各種情報を管理することが記載されている。
【先行技術文献】
【特許文献】
【０００４】
【特許文献１】特開平８−２０４６０９号公報
【特許文献２】特表２００３−５３５３４８号公報
【発明の概要】
【発明が解決しようとする課題】
【０００５】
ＲＦＩＤ等を備えた検体容器は、臨床検査機関等において管理を容易にするものであり、検体の取り違えなどのミスを少なくすることができるものである。
しかし、従来では、ＲＦＩＤ等は、臨床検査機関等内においての検体の管理に用いられており、それ以外では活用されてなかった。本発明者らは、医療機関等においてもＲＦＩＤ等を活用できれば、検体を受領してから報告書を納入するまでの期間短縮などを図れることを想到し、本発明を成し得たものである。
【０００６】
そこで、本発明の目的は、報告書の納入期間等を短縮できる検体管理システムを提供することにある。
【課題を解決するための手段】
【０００７】
本発明の検体管理システムの一例は、識別情報を含む容器情報を記録した第一記録部を備えた検体容器と、入力した検査項目情報を含む検査情報と第一記録部から読み込みした容器情報とを関連付けて検体情報を作成し、該検体情報を第一記録部に書き込みする情報入力端末と、情報入力端末から送信した検体情報を受信し、その検体情報と第一記録部から読み込みした検体情報とを照合する検体管理端末と、を備えたことを特徴とするものである。
【０００８】
本発明の検体管理システムの他例は、識別情報を含む容器情報を記録した第一記録部を備えた検体容器と、入力した検査項目情報を含む検査情報と第一記録部から読み込みした容器情報とを関連付けて検体情報を作成し、該検体情報を記録した第二記録部を印刷する情報入力端末と、情報入力端末から送信した検体情報を受信し、その検体情報と第二記録部から読み込みした検体情報とを照合する検体管理端末と、を備えたことを特徴とするものである。
【０００９】
本発明の検体管理システムは、検体容器を搬入する前に臨床検査機関等に備えた検体管理端末に検体情報が予め送信されているので検査項目などを早目に知ることができ、搬入前に検査体制を整えることができる。そのため、照合確認後直ぐに検体検査を行い、報告書の納入期間等を短縮することができる。
【図面の簡単な説明】
【００１０】
【図１】本発明の一実施形態の検体管理システムの概略を示した図である。
【図２】本発明の一実施形態の検体管理システムにおける手順の一例を示した図である。
【図３】本発明の一実施形態の検体管理システムにおける検査情報を入力する画面の一例を示した図である。
【図４】検体容器に第一記録部及び第二記録部を備え付けた一例を示した図である。
【図５】本発明の一実施形態の検体管理システムにおける手順の他例を示した図である。
【発明を実施するための形態】
【００１１】
以下、本発明の一実施形態の検体管理システムを図面に基づいて説明する。
【００１２】
図１には、本発明の一実施形態の検体管理システム１の概略を示してある。図１は、医療機関５から臨床検査機関６に検体検査を受託した場合を示し、医療機関５には検体を封入する検体容器２と、情報入力端末３とが備えてあり、臨床検査機関６には検体管理端末４が備えてある。
【００１３】
検体容器２は、検体を封入できるものであり、従来からある検体容器、例えば、採血管などを用いることができる。検体としては、特に限定するものではないが、血液、血漿、血清などの他、細胞組織などを含むものである。
検体容器２には第一記録部２ａが備えてある。第一記録部２ａは、情報を記録できるもの、特に情報を読み書きできるものを用いるのが好ましく、例えば、バーコード、二次元コード、ＲＦＩＤタグなどを用いることができる。第一記録部２ａは、例えば、予め組み込むことや貼付するなどして検体容器２に備えることができる。
以下、第一記録部２ａに、情報を読み書きできるＲＦＩＤタグなどを用いた場合と情報の読み込みのみできるバーコードや二次元コードを用いた場合とに分けて説明する。
【００１４】
まず、第一記録部２ａに情報を読み書きできるＲＦＩＤタグなどを用いた場合を説明する。
情報入力端末３は、情報を記憶できる記憶部、情報の送受信ができる送受信部や情報同士を関連付け（紐付け）して新たな情報を作成できる演算部などを備えた端末である。情報入力端末３は、市販の携帯電話などを用いることができ、専用端末を用いることもできる。情報の送受信は、有線や無線のいずれでもよい。
また、情報入力端末３は、第一記録部２ａに読み書きできるように形成してある。情報入力端末３と第一記録部２ａとで直接情報の読み書きができるようにしてもよく、また、リーダーライター装置などを介して情報の読み書きできるようにしてもよい。
【００１５】
検体管理端末４は、情報を記憶できる記憶部、情報の送受信ができる送受信部や情報同士の照合をできる演算部を備えた端末である。検体管理端末４は、市販のパーソナルコンピュータなどを用いることができ、専用端末を用いることもできる。
また、検体管理端末４は、第一記録部２ａに読み書きできるように形成してある。検体管理端末３と第一記録部２ａとで直接情報の読み書きができるようにしてもよく、また、リーダーライター装置などを介して情報の読み書きできるようにしてもよい。
【００１６】
以下、検体管理システム１の手順の一例を示す。図２には、手順の概略を示す。
まず、第一記録部２ａに、容器情報を入力する（ステップ１）。容器情報は、容器個別に与えられた検体ＩＤなどの識別情報、使用期限などの情報を含むことができる。識別情報は、数字、アルファベット或いはこれらの組合せとするのが好ましい。
容器情報は、例えば、検体容器２に第一記録部２ａを組み込んでおき、リーダーライター装置などを用いて第一記録部２ａに記録させることができる。
【００１７】
検査情報を情報入力端末３に入力し、記憶させる（ステップ２）。検査情報は、病院名、検体を採取した患者のＩＤ・氏名・性別・生年月日・年齢・カルテＩＤ・診察券Ｎｏなどの患者情報、検体の検査項目、希望納期、緊急の有無、検体の保管温度などの情報を含むことができる。
検査情報は、例えば、図１に示すように、パーソナルコンピュータ３ａなどのディスプレイに図３に示すような入力画面を表示させて検査情報を打込み、検査情報を記録したバーコード３ｂとして印刷し、その情報を情報入力端末３で読み込みして入力することができる。このバーコード３ｂは、カルテ３ｃなどに貼付しておくと管理がしやすい。また、検査情報は、情報入力端末３を直接操作して手入力により入力してもよい。
【００１８】
情報入力端末３を用いて第一記録部２ａから容器情報を読み込み、情報入力端末３に容器情報を記憶させる（ステップ３）。
【００１９】
情報入力端末３は、容器情報と検査情報とを関連付けた（紐付けた）検体情報を作成し、記憶する（ステップ４）。検体情報は、上記検体ＩＤなどにより管理することができる。
【００２０】
検体情報は、第一記録部２ａに書き込むとともに検体管理端末４に送信する（ステップ５）。
その後、検体容器２に患者から採取した検体を封入する（ステップ７）。
【００２１】
なお、情報管理端末３から検体管理端末４に検体情報を送信するには、例えば、専用回線又はインターネットなどの公衆回線等を経由し、サーバなどを介して送信することができる。また、情報管理端末３と検体管理端末４とで直接情報を送受信できるようにしてもよい。
【００２２】
検体容器２は、トラックなどに積み荷して医療機関５から臨床検査機関６に搬入される（ステップ８）。この際、検体容器２は、保管温度別に仕分けしておくことが好ましい。
【００２３】
検体管理端末４は、情報管理端末３から検体情報を受信し、記憶する（ステップ９）。この検体情報は、検体管理端末４のディスプレイなどに表示できるようにするのが好ましい。
検体管理端末４は、搬入された検体容器２の第一記録部２ａから検体情報を読み込み、記憶する（ステップ１０）。
【００２４】
検体管理端末４は、情報管理端末３から受信した検体情報に含まれる識別番号と検体容器２から読み込みした検体情報に含まれる識別番号とを照合する（ステップ１１）。
検体容器２の検体情報の識別番号が、検体管理端末４の検体情報の識別番号と合致すれば、その識別番号を含む検体情報を検体管理端末４のディスプレイなどから消し込むとともに、搬入確認情報を検体管理端末４の検体情報内に記録させる。そして、検体容器２を、直ぐに検査することもでき、また、保管棚で保管することもできる（ステップ１２）。
検体管理端末４の検体情報の識別情報が、検体容器２の検体情報の識別情報と合致しなければ、検体管理端末４のディスプレイなどには合致してない識別情報を含む検体情報、例えば、識別番号などが表示され続け、検体容器２が搬入されてないことを確認することができる。
【００２５】
このように、検体管理システム１は、搬入の確認作業が容易である。また、検体容器２を搬入する前に検体管理端末４に検体情報が送信されているので検査項目などを早目に知ることができ、搬入前に検査体制を整えることができる。そのため、照合確認後直ぐに検体検査を行い、報告書の納入期間等を短縮することができる。
【００２６】
次に、第一記録部２ａに、情報の読み込みのみができる（情報の書き込みができない）バーコードや二次元コードなどを用いた場合について説明する。
【００２７】
検体容器２、情報入力端末３、検体管理端末４は、基本的に上記と同じ構成のものを用いることができ、以下、主な相違点について説明する。
【００２８】
検体容器２は、第一記録部２ａを備える他、図４に示すように、臨床検査機関６に搬入する前に第二記録部２ｂを備え付けるものである。第二記録部２ｂは、情報を記録でき、情報の読み込みのみができるものであればよく、例えば、バーコードや二次元コードを用いることができる。
【００２９】
情報入力端末３は、第二記録部２ｂを印刷できる構成としてある。第二記録部２ｂの印刷は、情報入力端末３に印刷機能を備え直接印刷できるようにしてもよく、また、情報をプリンターなどに送信し印刷できるようにしてもよい。
また、情報入力端末３は、第一記録部２ａの情報の読み込みができるように形成してあればよく、例えば、情報入力端末３にカメラ機能を備えた構成として第一記録部２ａの情報を読み込めるようにしてもよく、リーダー装置などを介して第一記録部２ａの情報の読み込みができるようにしてもよい。
【００３０】
検体管理端末４は、第二記録部２ｂの情報の読み込みができるように形成してあればよく、例えば、検体管理端末４にカメラ機能を備えた構成として第二記録部２ｂの情報を読み込めるようにしてもよく、リーダー装置などを介して第二記録部２ｂの情報の読み込みができるようにしてもよい。
【００３１】
以下、この場合の検体管理システム１の手順の一例を示す。図５には、手順の概略を示す。基本的に上記手順と同様であり、以下、主な相違点について説明する。
ステップ１〜４は、上記と同様であるので説明を省略する。
ステップ５において、検体情報は、情報入力端末３を用いて第二記録部２ｂとして印刷する。また、検体情報は、情報入力端末３から検体管理端末４に送信する。
ステップ６において、第二記録部２ｂを検体容器２に貼付などして備え付ける。図４に示すように、検体容器２には、第一記録部２ａと第二記録部２ｂが備えられる。
その後、検体容器２に患者から採取した検体を封入する（ステップ７）。
【００３２】
検体管理端末４は、情報管理端末３から検体情報を受信し、記憶する（ステップ９）。
検体管理端末４は、搬入された検体容器２の第二記録部２ｂから検体情報を読み込み、記憶する（ステップ１０）。
【００３３】
検体管理端末４は、情報管理端末３から受信した検体情報に含まれる識別番号と検体容器２の第二記録部２ｂから読み込みした検体情報に含まれる識別番号とを照合する（ステップ１１）。
検体容器２の検体情報の識別番号が、検体管理端末４の検体情報の識別番号と合致すれば、その識別番号を含む検体情報を検体管理端末４のディスプレイなどから消し込むとともに、搬入確認情報を検体管理端末４の検体情報内に記録させる。そして、検体容器２を、直ぐに検査することもでき、また、保管棚で保管することもできる（ステップ１２）。
検体管理端末４の検体情報の識別情報が、検体容器２の検体情報の識別情報と合致しなければ、検体管理端末４のディスプレイなどには合致してない識別情報を含む検体情報、例えば、識別番号などが表示され続け、検体容器２が搬入されてないことを確認することができる。
【００３４】
このように、第一記録部２ａに、情報の読み込みのみができる（情報の書き込みができない）バーコードや二次元コードなどを用いた場合でも、上記と同様に、搬入の確認作業が容易である。また、検体容器２を搬入する前に検体管理端末４に検体情報が送信されているので検査項目などを早目に知ることができ、搬入前に検査体制を整えることができる。そのため、照合確認後直ぐに検体検査を行い、報告書の納入期間等を短縮することができる。
【００３５】
上記いずれの場合において、検体管理端末４における識別情報の照合後、検体容器２を保管する場合、検体容器２を保管する保管棚に、検体容器２の第一記録部２ａ又は第二記録部２ｂの情報を読み込みできる、リーダー装置などを備えておくことが好ましい。
このようにしておけば、検体容器２を保管棚に保管する際に、第一記録部２ａ又は第二記録部２ｂの検体情報に含まれる保管温度情報を受信し、予めコンピュータなどに入力した保管棚の温度情報と照合することができる。受信した保管温度情報が、保管棚で設定した温度の範囲内であれば、例えば、青信号が点灯するように設定し、検体容器２をその保管棚に保管することができる。保管棚で設定した温度の範囲外であれば、例えば、赤信号が点灯するように設定し、検体容器２の保管温度を再度確認するように促す。これにより、正しい保管温度の保管棚で保管することができる。
【００３６】
上記実施形態の構成態様は、本発明を限定するものとして挙げたものではなく、技術目的を共通にするかぎり変更は可能であり、本発明はそのような変更を含むものである。
【符号の説明】
【００３７】
１検体管理システム  ２検体容器  ２ａ第一記録部  ２ｂ第二記録部  ３情報管理端末  ４検体管理端末  ５医療機関  ６臨床検査機関
【図１】
2013130398.tif 000003
【図２】
2013130398.tif 000004
【図３】
2013130398.tif 000005
【図４】
2013130398.tif 000006
【図５】
2013130398.tif 000007